(57)【特許請求の範囲】
【請求項１】
側壁と天井壁とを備え内部に浴槽が設置される如く構成される浴室であって、前記浴槽のほとんど静止することのない揺らいだ状態の水面にスポットライトを照射し、該水面で反射された揺らいだ状態の反射光を所望の側壁や天井壁に写し出すように照射方向が設定されたスポットライト照明装置を前記側壁及び又は天井壁に配設すると共に、浴槽内の湯の水面に揺らぎを生じさせることができるアクチュエータを浴槽の側壁側の壁面もしくは側壁に取り付けたことを特徴とする浴室。
【発明の詳細な説明】
【０００１】
【発明の属する技術分野】
本発明は、例えばユニットバスルーム等の浴室に係わり、特に、光の反射による幻想的な演出効果が得られる浴室に関する。
【０００２】
【従来の技術】
従来、ユニットバスルーム等の浴室においては、浴室内を照明するための照明装置が、例えば洗い場側のカウンター上部等に配設されている。ところが、このような照明装置では、照明として機能するのみであることから、その他の効果を狙って浴室内にスポットライト照明装置を取り付けた浴室構造が例えば実開平５−８５９４５号公報に開示されている。この浴室構造は、浴室の少なくとも一側壁に内面が凹状の湾曲面部を形成し、この湾曲面部を他側壁もしくは天井壁に取り付けたスポットライト照明装置のスポットライトで照射するようにしたものである。
【０００３】
【発明が解決しようとする課題】
しかしながら、この浴室構造においては、スポットライト照明装置のスポットライトを単に一側壁の湾曲面部に照射させる構造であるため、浴室内を広く見せたりスポットライトが醸し出す雰囲気により入浴者にゆったりした気分を与えることができるものの、湾曲面部に照射されるスポットライトが極めて単調になってしまい十分な演出効果を得ることが困難であると共に、浴室の一側壁に湾曲面部を設ける必要があるため、壁構造が複雑化して浴室のコストアップを招き易いという問題点を有している。
【０００４】
本発明は、このような事情に鑑みてなされたもので、その目的は、簡易な構成で浴槽水面からの反射光により浴室内に十分な演出性と快適性等が得られる浴室を提供することにある。
【０００５】
【課題を解決するための手段】
かかる目的を達成すべく、本発明は、側壁と天井壁とを備え内部に浴槽が設置される如く構成される浴室であって、前記浴槽のほとんど静止することのない揺らいだ状態の水面にスポットライトを照射し、該水面で反射された揺らいだ状態の反射光を所望の側壁や天井壁に写し出すように照射方向が設定されたスポットライト照明装置を前記側壁及び又は天井壁に配設すると共に、浴槽内の湯の水面に揺らぎを生じさせることができるアクチュエータを浴槽の側壁側の壁面もしくは側壁に取り付けたことを特徴とする。
【０００６】
このように構成することにより、例えば浴室の浴槽側の天井壁に配設されたスポットライト照明装置は、そのスポットライトがアクチュエータで揺らぎが生じている浴槽の水面に照射されて反射され、この反射光が浴室の所定の側壁や天井壁に写し出される。この時、スポットライトが浴槽内のほとんど静止することのない揺らぐ水面で反射されることから、側壁や天井壁に写し出される反射光自体も静止することなく揺らぐ状態となって、浴室内に光による無限パターンの幻想的な雰囲気の演出効果が得られると共に、この幻想的な反射光によって精神的な面での快適性等が高められる。
【０００７】
【発明の実施の形態】
以下、本発明の実施の形態を図面に基づいて詳細に説明する。
図１〜図３は、本発明に係わる浴室の一実施例を示し、図１がその内部の概略斜視図、図２がその概略平面図、図３がスポットライト照明装置の動作を説明するためのタイミングチャートである。
【０００８】
図１及び図２において、浴室１は、防水パン２と、４枚の側壁としての壁パネル３ａ〜３ｄ（壁パネル３ａは図２参照）と、天井壁としての例えばドーム型の天井パネル４によって箱状に形成されている。防水パン２上には、壁パネル３ｂ側に浴槽５が設置されると共に、壁パネル３ｄ側に洗い場６が設けられ、この洗い場６の壁パネル３ｃ側には洗面器置き用のカウンター７が設けられている。なお、カウンター７上部には、ミラー９、収納棚１０、シャワー１１、水栓１２及び浴室用照明装置１３が一体的に組み付けられたミラーパネル８が配設されている。
【０００９】
また、天井パネル４の左右の側面４ａには、浴室内方向に向けて一対のスピーカ１５（一方のスピーカ１５のみ示す）が取り付けられると共に、浴槽５の壁パネル３ａ側の壁面（もしくは壁パネル３ａ）にはアクチュエータ１６が取り付けられている。このスピーカ１５やアクチュエータ１６は、図２に示すように、例えば壁パネル３ａのドア１７近傍（もしくは浴室１内）に配設された制御盤１８に電気的に接続されており、この制御盤１８の制御によって、スピーカ１５で中高音が再生され、アクチュエータ１６による浴槽５自体（あるいは壁パネル３ａやその内側の音響空間）の振動で低音が再生されるように構成されている。
【００１０】
さらに、前記天井パネル４の内面で壁パネル３ａ、３ｃ側には、スポットライト照明装置１９、２０が取り付けられている。このスポットライト照明装置１９、２０は、光源としての例えばハロゲンランプ（図示せず）をそれぞれ有し、前記制御盤１８の制御によってそのスポットライト１９ａ、２０ａが浴槽５内を照射するように構成されている。
【００１１】
すなわち、一方のスポットライト照明装置１９のスポットライト１９ａが浴槽５の半身浴部分５ａを照射し、他方のスポットライト照明装置２０のスポットライト２０ａが浴槽５の反半身浴部分５ｂを照射するように照射方向が予め所定方向に設定され、この一対のスポットライト１９ａ、２０ａで、浴槽５内の略全域が照射される。なお、このスポットライト照明装置１９、２０は、制御盤１８の操作で調光可能に構成されたり変色可能に構成されていることが好ましい。
【００１２】
そして、このスポットライト照明装置１９、２０は、前記制御盤１８によって点灯及び消灯が制御されるが、その制御の一例を図３に基づいて説明する。図３に示すように、先ず時刻ｔ１で浴室用照明装置１３が全灯状態で点灯し、この全灯状態中に時刻ｔ２でスポットライト照明装置１９、２０が点灯すると、この点灯と略同時に浴室用照明装置１３が自動的に減灯（もしくは消灯）状態となって浴室１内が暗くなり、スポットライト照明装置１９、２０のスポットライト１９ａ、２０ａが映える（目立つ）状態となる。この減灯状態で浴室１内にスポットライト１９ａ、２０ａによる後述するような幻想的な演出効果が得られる。
【００１３】
次に、時刻ｔ３でスポットライト照明装置１９、２０が消灯すると、この消灯と略同時に浴室用照明装置１３が全灯状態に自動的に復帰し、この全灯状態は、浴室用照明装置１３が時刻ｔ４で消灯されるまで継続される。つまり、スポットライト照明装置１９、２０が点灯中は、浴室用照明装置１３が自動的に減灯（もしくは消灯）状態となって、スポットライト１９ａ、２０ａを浴室１内で浮かび上がらせ、その効果をより助長することになる。
【００１４】
なお、スポットライト照明装置１９、２０の点灯時間Ｔは、制御盤１８に設けたタイマー等で予め所定時間を設定して、この所定時間経過後に自動消灯するように構成することが好ましいが、もちろん手動で消灯させることも可能である。また、浴室用照明装置１３の減灯状態のレベルは、スポットライト照明装置１９、２０のスポットライト１９ａ、２０ａが浴室１内で適正に映える状態に設定されるのが好ましい。さらに、スポットライト照明装置１９、２０を点灯もしくは消灯させた際に、浴室用照明装置１３が除々に暗くなる状態もしくは除々に明るくなる状態に構成し、この両方または一方の状態となるように制御することも可能である。
【００１５】
この浴室１によれば、入浴者が入浴する際に、浴槽５に所定量の湯を入れ、制御盤１８を操作してスポットライト照明装置１９、２０を点灯させて、そのスポットライト１９ａ、２０ａを浴槽５内の湯の水面Ｗに照射する。この水面Ｗに照射されたスポットライト１９ａ、２０ａは、図１の矢印イ、ロの如く壁パネル３ａ〜３ｄや天井パネル４方向に反射されて、その反射光Ｒ（間接光）が壁パネル３ａ〜３ｄ（壁パネル３ｂは出窓２５部分も含む）や天井パネル４に写し出される。
【００１６】
この時、浴槽５内の水面Ｗは、湯の供給時の振動や入浴者の洗い場６内での動きによる振動等で静止状態となることはなく、最低でも極微妙に揺らいだ状態となっており、これに連れて壁パネル３ａ〜３ｄや天井パネル４に写し出される反射光Ｒも揺らいだ状態となる。この揺らいだ状態の反射光Ｒは、水面Ｗの揺らぎ度合いに応じて変化し、これにより浴室１内に無限パターンの反射光Ｒからなる幻想的な雰囲気が醸し出されることになる。
【００１７】
このように、上記実施例の浴室１にあっては、浴室１の天井パネル４に一対のスポットライト照明装置１９、２０を取り付けて、そのスポットライト１９ａ、２０ａを浴槽５の湯の水面Ｗに照射するため、スポットライト１９ａ、２０ａによる水面の反射光Ｒを壁パネル３ａ〜３ｄや天井パネル４に写し出すことができ、その際、水面Ｗの揺らぎによって壁パネル３ａ〜３ｄ等に写し出される反射光Ｒを無限に変化させることができ、浴室１内に光による幻想的な演出効果を得ることができる。
【００１８】
また、浴槽５内の水面Ｗの揺らぎに対応した反射光Ｒが壁パネル３ａ〜３ｄや天井パネル４に写し出されるため、この反射光Ｒを眺めることで、河川や海の水面を眺める時に得られるような精神的な面での快適性（やすらぎ）が得られ、入浴自体を楽しむ効果が高められる。特に、近年普及浸透しつつある半身浴による健康入浴や美容入浴等のように比較的長い時間入浴する場合であっても、入浴時間を忘れることができるような快適な入浴が可能になる。
【００１９】
さらに、壁パネル３ａ〜３ｄや天井パネル４に幻想的な反射光Ｒが写し出されるため、狭くて閉塞感を感じ易い浴室１の内部空間を広く見せることができ、特に、反射光Ｒの状態が無限に変化することから、従来の単にスポットライト照明装置を湾曲面部に照射した場合に比較して、浴室１内の空間をより広く効果的に見せることができる。また、スポットライト照明装置１９、２０として、調光可能や変色可能な構成を採用することにより、壁パネル３ａ〜３ｄや天井パネル４に写し出される反射光Ｒを、例えば入浴者の好みに合うように調整したり、変化を持たせることができる等、より演出性や快適性の高い浴室１を得ることが可能になる。
【００２０】
またさらに、壁パネル３ａ〜３ｄや天井パネル４に湾曲面部等の加工を施すことなく、スポットライト照明装置１９、２０の所望位置への設置で対応できるため、構成簡易にして既存の各種浴室１にも容易に対応することができ、結果として光による幻想的な雰囲気が得られる浴室１をコスト安価に形成することが可能になる。
【００２１】
また、浴室１に設けられる音響再生装置としての、スピーカ１５やアクチュエータ１６とスポットライト照明装置１９、２０の点灯を関連付けることができるため、例えばアクチュエータ１６を作動させる音楽再生時に、スポットライト照明装置１９、２０を点灯させれば、アクチュエータ１６による振動が浴槽５内の湯に伝搬されてその水面Ｗが微妙に揺らぎ、壁パネル３ａ〜３ｄ等に写し出される反射光Ｒに微細な変化を与えることができて、より一層変化に富んだ幻想的な反射光Ｒを得ることが可能になる。また、音響と関連付けて音と光の組合せによる一層幻想的な雰囲気を醸し出すことも可能である。
【００２２】
さらにまた、スポットライト照明装置１９、２０が点灯した際に、浴室用照明装置１３が自動的に減灯状態となって浴室１内を暗くするため、スポットライト照明装置１９、２０のスポットライト１９ａ、２０ａを浮かび上がらせて、その反射光Ｒを壁パネル３ａ〜３ｄ等に良好かつ効果的に写し出すことができる。また、スポットライト照明装置１９、２０が点灯中は、浴室用照明装置１３が自動的に減灯状態になるため、該照明装置１３を一々操作する必要がなくなると共に、スポットライト照明装置１９、２０の点灯時間Ｔを一定時間に設定することで、スポットライト照明装置１９、２０を自動消灯させることができ、これらのことから、浴室１の操作性を向上させることができると共に使い勝手に優れた浴室１を得ることが可能になる。
【００２３】
図４〜図６は、本発明に係わる浴室のそれぞれ他の実施例を示す図４が概略平面図、図５と図６が内部の概略斜視図である。以下、上記実施例と同一部位には、同一符号を付して説明する。先ず、図４に示す実施例の浴室１の特徴は、スポットライト照明装置１９を浴室１に１個移動可能に配設すると共に、このスポットライト照明装置１９を傾動可能に配設した点にある。
【００２４】
すなわち、浴室１の天井パネル４に浴槽５の長手方向に沿った所定長さのレール２１を取り付け、このレール２１にスポットライト照明装置１９を図示しないステッピングモータで図の矢印ハ、ニ方向に移動可能に取り付けることにより、スポットライト照明装置１９の位置を浴槽５の長手方向に沿って変化させる。また、スポットライト照明装置１９自体を図示しないステッピングモータで図の矢印ホ方向に傾動可能（照射方向変更可能）に取り付けることにより、スポットライト照明装置１９のスポットライト１９ａの照射方向を変化させる。
【００２５】
この実施例においても、スポットライト照明装置１９によって、壁パネル３ａ〜３ｄや天井パネル４に反射光Ｒを写し出すことができて、上記実施例と同様の作用効果が得られる他に、スポットライト照明装置１９の位置や照射方向を所望の位置に設定したり変化させることができるため、入浴者により快適な入浴やより変化に富んだ演出効果を与えることができるという作用効果が得られる。
【００２６】
また、図５に示す実施例の浴室１の特徴は、浴室１の所定位置にスポットライト照明装置１９、２０や前記浴室用照明装置１３とは別の照明装置を取り付け、この照明装置とスポットライト照明装置１９、２０を関連付けて点灯させるようにした点にある。すなわち、例えば前記ミラーパネル８の浴槽５側の側面８ａに蛍光灯や白熱灯等からなる照明装置２２を取り付け、この照明装置２２とスポットライト照明装置１９、２０とを関連付けて点灯させることで、壁パネル３ａ〜３ｄや天井パネル４に写し出される反射光Ｒの明るさを調整する。
【００２７】
この場合、照明装置２２をスポットライト照明装置１９、２０と同時に点灯させれば、反射光Ｒが明るくなって弱くぼんやりとした感じで写し出され、逆に照明装置２２を消灯することで、反射光Ｒをはっきりと写し出すことができる。そして、この時、照明装置２２を調光可能（もしくは変色可能）に構成すれば、反射光Ｒの状態（明るさ）をより広い範囲で無段階に調整できることになる。この実施例においても、上記実施例と同様の作用効果が得られる他に、より変化に富んだ光の幻想的な演出効果が得られる。
【００２８】
ところでこの例においては、図５に示すように、例えば浴槽５のエプロン２６下部の長手方向の全域に、連設状態の豆電球やＬＥＤ等からなる足元照明用の照明装置２４を設けて、浴室１内に光によるより幻想的な演出効果を得るように構成することもできる。また、浴槽５の側面に浴槽５内に光を照射する照明装置２３を設け、この照明装置２３の光と組み合わせることでスポットライト１９ａ、２０ａの反射光Ｒにより変化を持たせることも可能である。
【００２９】
さらに、図６に示す実施例の浴室１の特徴は、浴室１の壁パネル３ｂに設けられた出窓２５部分に例えば一個のスポットライト照明装置１９を取り付けて、出窓２５部分から例えばあたかも太陽光が入射しているような雰囲気を醸し出すようにした点にある。すなわち、天板２５ａや左右の側板２５ｂ及び屋外に接するガラス２５ｃ、底板２５ｄ等を有する出窓２５の天板２５ａの内面に、図７に示すように、上下及び左右方向に傾動可能な連結部材３０を取り付け、この連結部材３０の傾動部材３１にスポットライト照明装置１９を固定する。
【００３０】
これにより、スポットライト照明装置１９が上下方向（図７に示す矢印ヘ方向）や左右方向（図６に示すト方向）に傾動して、そのスポットライト１９ａが浴槽５の水面Ｗの所定位置に照射され、この光の反射光Ｒが壁パネル３ａ〜３ｄや天井パネル４に写し出される。この時、スポットライト照明装置１９のスポットライト１９ａが、ガラス２５ｃを介して屋外に接し太陽光が入射可能な出窓２５の上部に配設されているため、スポットライト１９ａにあたかも太陽光のような状態が得られ、浴室１内に日中の太陽光が反射しているような雰囲気を醸し出すことができる。その結果、浴室１内に光による一層幻想的な演出効果を得ることができ、特に、太陽光が水面で反射する屋外における自然な雰囲気（露天風呂的な雰囲気）や拡がりある雰囲気等を入浴中に容易に体感することが可能になる。
【００３１】
この実施例の場合、スポットライト照明装置１９のスポットライト１９ａは、一般的な照射光として、上記実施例と同様の作用効果を得るように構成することもできるが、例えばスポットライト照明装置１９にそのスポットライト１９ａの状態を制御するフィルター等を設けることで、太陽光により近い光の状態を得て前記作用効果を一層助長させることもできる。また、スポットライト照明装置１９を、図８に示すように、出窓２５の天板２５ａ内面にレール２１によって移動可能に配設したり、図６の二点鎖線で示すように、出窓２５の側板２５ｂ上部に配設する等、その配設位置や個数は適宜に設定することができるし、前記連結部材３０も適宜構造のものを使用し得る。さらに、スポットライト照明装置１９を出窓２５の窓枠内に配設すると共に窓枠にフィルター等を設けるようにして、スポットライト照明装置１９を浴室１内において目立たないようにすることもできる。
【００３２】
なお、本発明は上記した各実施例のそれぞれに限定されるものでもなく、例えば図１に示す実施例と図４に示す実施例を組み合せ、複数のスポットライト照明装置１９、２０をそれぞれ移動可能に設ける等、各実施例の個々の部分を採用したり、各実施例（もしくはその個々の部分）を適宜に組み合わせることもできる。また、上記各実施例においては、スポットライト照明装置１９、２０を天井パネル４や出窓２５部分に取り付ける場合について説明したが、例えば壁パネル３ａ〜３ｄ上部に取り付けることもできるし、２つ以上のスポットライト照明装置１９、２０を配設する場合、その色を異ならせることもできる。
【００３３】
さらに、上記各実施例においては、スポットライト照明装置１９、２０で４枚の壁パネル３ａ〜３ｄと天井パネル４に反射光Ｒを写し出す場合について説明したが、スポットライト照明装置１９、２０のスポットライト１９ａ、２０ａの照射方向を適宜に設定することで、所望の壁パネル３ａ〜３ｄや天井パネル４のみに反射光Ｒを写し出すように構成することもできる。また、上記各実施例における、スポットライト照明装置の個数や光源の種類、浴室１の形態等も一例であって、本発明に係わる各発明の要旨を逸脱しない範囲において適宜に変更することができる。
【００３４】
【発明の効果】
以上詳述したように、本発明によれば、浴室の側壁及び又は天井壁に、アクチュエータにより揺らぎが生じる浴槽内の水面にスポットライトを照射するスポットライト照明装置を配設しているため、スポットライトを浴槽内のほとんど静止することのない揺らぐ水面で反射させ、側壁や天井壁に幻想的で無限の演出パターンの反射光を写し出すことができて、浴室内の演出性と快適性等を十分に高めることができる。
【図面の簡単な説明】
【図１】本発明に係わる浴室の一実施例を示す内部の概略斜視図
【図２】同その概略平面図
【図３】同スポットライト照明装置の動作を説明するためのタイミングチャート
【図４】本発明に係わる浴室の他の実施例を示す概略平面図
【図５】本発明に係わる浴室のさらに他の実施例を示す内部の概略斜視図
【図６】本発明に係わる浴室のさらに他の実施例を示す内部の概略斜視図
【図７】同その要部の断面図
【図８】同その変形例を示す図７と同様の断面図
【符号の説明】
１・・・・・・・・・浴室
３ａ〜３ｄ・・・・・壁パネル
４・・・・・・・・・天井パネル
５・・・・・・・・・浴槽
７・・・・・・・・・カウンター
８・・・・・・・・・ミラーパネル
１５・・・・・・・・スピーカー
１６・・・・・・・・アクチュエータ
１９、２０・・・・・スポットライト照明装置
１９ａ、２０ａ・・・スポットライト
２１・・・・・・・・レール
２２〜２４・・・・・照明装置
２５・・・・・・・・出窓
２５ａ・・・・・・・天板
２５ｂ・・・・・・・側板
２５ｃ・・・・・・・ガラス
Ｗ・・・・・・・・・水面
Ｒ・・・・・・・・・反射光
【図１】
0003611544.tif 000002
【図２】
0003611544.tif 000003
【図３】
0003611544.tif 000004
【図４】
0003611544.tif 000005
【図５】
0003611544.tif 000006
【図６】
0003611544.tif 000007
【図７】
0003611544.tif 000008
【図８】
0003611544.tif 000009